(57)【特許請求の範囲】
【請求項１】
シート状で通気性と吸液性を有すると共に、薬剤を含浸した薬剤含浸体２０と、
この薬剤含浸体２０を保持する保持容器２１を有し、
前記保持容器２１は、薬剤含浸体２０の上下面の一部分を挟持して保持する保持部２１ａと、前記薬剤含浸体２０における前記保持部２１ｂで保持した一部分以外の上下面に向けて空気が流通可能とする空気流通部２１ｂを備え、
前記保持部２１ａの薬剤含浸体２０の上面、下面の少なくとも一方の面に接する部分に凹部を形成し、この凹部と薬剤含浸体２０との間に空間部２１ｃが形成され、この空間部２１ｃは保持部２１ａの薬剤含浸体２０の上面、下面の少なくとも他方の面に接する部分に形成した通気部２１ｄで外部に開口していることを特徴とする薬剤カートリッジ。
【請求項２】
保持部２１ａの薬剤含浸体２０の下面と接する部分に凹部を形成し、この凹部と薬剤含浸体２０の下面との間に空間部２１ｃを形成し
前記保持部２１ａにおける薬剤含浸体２０の上面に接する部分に通気孔を、前記凹部と対向して形成することで通気部２１ｄとした請求項１記載の薬剤カートリッジ。
【請求項３】
シート状で通気性と吸液性を有すると共に、薬剤を含浸した薬剤含浸体２０と、
容器本体３０と蓋体４０で前記薬剤含浸体２０を保持する保持容器２１を備え、
前記容器本体３０は、中央保持部３１と外周保持部３２を複数の中間保持部３３で連結して空気流通部３４を有し、その中央保持部３１と外周保持部３２と中間保持部３３の少なくとも１つの上面に凹部を形成し、この凹部と薬剤含浸体２０の下面で空間部２１ｃを形成し、
前記蓋体４０は、中央押え部４１と外周押え部４２を複数の中間押え部４３で連結して空気流通部４４を有し、その中央押え部４１と外周押え部４２と中間押え部４３の少なくとも１つに、前記凹部と対向した通気孔が形成され、
前記容器本体３０と蓋体４０は着脱自在に嵌合して連結されると共に、前記容器本体３０の空気流通部３４と蓋体４０の空気流通部４４に亘って空気が流通するようにしたことを特徴とする薬剤カートリッジ。
【請求項４】
容器本体３０の中央保持部３１に凹部３５を形成し、外周保持部３２に環状の凹部３６を形成した請求項３記載の薬剤カートリッジ。
【請求項５】
中央保持部３１と中央押え部４１、外周保持部３２と外周押え部４２、中間保持部３３と中間押え部４３相互がそれぞれ同一形状、大きさで、空気流通部３４，４４が同一形状、大きさとなるようにした請求項３又は４記載の薬剤カートリッジ。
【発明の詳細な説明】
【技術分野】
【０００１】
本発明は、害虫防除剤、芳香剤、消臭剤など、揮散性を有する薬剤を保持し、ファン式薬剤放散装置等に用いることで薬剤を大気に放散させる薬剤カートリッジに関する。
【背景技術】
【０００２】
特許文献１に開示されるファン式薬剤放散装置が知られている。
このファン式薬剤放散装置は、装置本体内に、送風機と薬剤カートリッジと電源収納体を設けたもので、その送風機はファンとモータを有し、薬剤カートリッジは通気性を有する容器内に、薬剤を含浸した粒状の薬剤含浸体を多数収容したもので、電源収納体には電池が収容されている。
そして、モータでファンを回転することで容器に空気を流通して薬剤を大気に放散する。
【０００３】
特許文献２に開示される薬剤保持体が知られている。
この薬剤保持体は、薬剤を保持したネットを複数重ね合わせたものである。
【０００４】
【特許文献１】特許公開２００２−２９１３９２号公報
【特許文献２】特許公開２００１−２００２３９号公報
【発明の開示】
【発明が解決しようとする課題】
【０００５】
前述した従来の薬剤カートリッジは、通気性を有する容器内に薬剤を含浸した粒状の薬剤含浸体を多数収容し、その容器内に空気が流通することで薬剤含浸体に含浸した薬剤を順次大気に放散するもので、その容器が厚く大きなものであるから、薬剤カートリッジが厚い。
このために、装置本体内に薬剤カートリッジ、送風機、電池などを設けたファン式薬剤放散装置の装置全体が厚くなってしまう。
【０００６】
前述した従来の薬剤保持体は、複数のネットを重ね合わせたものであるから薄くすることが可能であり、ファン式薬剤放散装置に用いることで、その装置全体を薄くできるが、その薬剤保持体を手で持った時に薬剤が手に付着することがある。
【０００７】
本発明の目的は、薄くできるし、所定の形状を維持でき、しかも手で持った時に薬剤が手に付着することがない薬剤カートリッジを提供することである。
【課題を解決するための手段】
【０００８】
第１の発明は、シート状で通気性と吸液性を有すると共に、薬剤を含浸した薬剤含浸体２０と、
この薬剤含浸体２０を保持する保持容器２１を有し、
前記保持容器２１は、薬剤含浸体２０の上下面の一部分を挟持して保持する保持部２１ａと、前記薬剤含浸体２０における前記保持部２１ｂで保持した一部分以外の上下面に向けて空気が流通可能とする空気流通部２１ｂを備え、
前記保持部２１ａの薬剤含浸体２０の上面、下面の少なくとも一方の面に接する部分に凹部を形成し、この凹部と薬剤含浸体２０との間に空間部２１ｃが形成され、この空間部２１ｃは保持部２１ａの薬剤含浸体２０の上面、下面の少なくとも他方の面に接する部分に形成した通気部２１ｄで外部に開口していることを特徴とする薬剤カートリッジである。
【０００９】
第２の発明は、第１の発明において、保持部２１ａの薬剤含浸体２０の下面と接する部分に凹部を形成し、この凹部と薬剤含浸体２０の下面との間に空間部２１ｃを形成し
前記保持部２１ａにおける薬剤含浸体２０の上面に接する部分に通気孔を、前記凹部と対向して形成することで通気部２１ｄとした薬剤カートリッジである。
【００１０】
第３の発明は、シート状で通気性と吸液性を有すると共に、薬剤を含浸した薬剤含浸体２０と、
容器本体３０と蓋体４０で前記薬剤含浸体２０を保持する保持容器２１を備え、
前記容器本体３０は、中央保持部３１と外周保持部３２を複数の中間保持部３３で連結して空気流通部３４を有し、その中央保持部３１と外周保持部３２と中間保持部３３の少なくとも１つの上面に凹部を形成し、この凹部と薬剤含浸体２０の下面で空間部２１ｃを形成し、
前記蓋体４０は、中央押え部４１と外周押え部４２を複数の中間押え部４３で連結して空気流通部４４を有し、その中央押え部４１と外周押え部４２と中間押え部４３の少なくとも１つに、前記凹部と対向した通気孔が形成され、
前記容器本体３０と蓋体４０は着脱自在に嵌合して連結されると共に、前記容器本体３０の空気流通部３４と蓋体４０の空気流通部４４に亘って空気が流通するようにしたことを特徴とする薬剤カートリッジである。
【００１１】
第４の発明は、第３の発明において、容器本体３０の中央保持部３１に凹部３５を形成し、外周保持部３２に環状の凹部３６を形成した薬剤カートリッジである。
【００１２】
第５の発明は、第３又は第４の発明において、中央保持部３１と中央押え部４１、外周保持部３２と外周押え部４２、中間保持部３３と中間押え部４３相互がそれぞれ同一形状、大きさで、空気流通部３４，４４が同一形状、大きさとなるようにした薬剤カートリッジである。
【発明の効果】
【００１３】
請求項１に係る発明によれば、薬剤含浸体２０がシート状で薄く、この薬剤含浸体２０を保持容器２１で保持して薬剤カートリッジとしたので、薬剤カートリッジを薄くできるし、その薬剤含浸体２０を所定形状に維持でき、しかも手で持った時に手に薬剤が付着することがない。
また、薬剤含浸体２０の保持部２１ａで保持された保持部分に直接空気が流通しないが、その保持部分に含浸した薬剤は空間部２１ｃに揮散し、その空間部２１ｃを流通する空気とともに外部に放出されて大気に放散される。
したがって、薬剤保持体２０の保持部分に含浸した薬剤を大気に放散できるから、薬剤が無駄にならない。
【００１４】
請求項２に係る発明によれば、液状の薬剤を通気孔から凹部に注入して溜めることが可能であるので、使用後に、液状の薬剤を通気孔から凹部に供給して溜めることで、その溜まった液状の薬剤が薬剤含浸体２０に順次含浸されるから、薬剤含浸体２０に薬剤が含浸された未使用状態の薬剤カートリッジとすることができる。
【００１５】
請求項３に係る発明によれば、請求項１に係る発明と同様に、薬剤カートリッジを薄くできるし、その薬剤含浸体２０を所定形状で維持でき、しかも手で持った時に手に薬剤が付着することがない。
また、中央保持部３１、外周保持部３２、中間保持部３３と中央押え部４１、外周押え部４２と中間押え部４３によって薬剤含浸体２０の中央部分、外周部分、中間部分を保持しているから、薄い薬剤含浸体２０をしっかりと保持することができ、その薄い薬剤含浸体２０を用いた薬剤カートリッジの取り扱い、保管等が容易である。
【００１６】
しかも、前述の少なくとも１つの保持部と押え部で保持された保持部分に含浸した薬剤は凹部に揮散し、その凹部を流通する空気とともに大気に放散されるから、その薬剤が無駄になることがない。
【００１７】
また、使用後には液状の薬剤を通気孔から凹部に注入して溜めることで、その薬剤が薬剤含浸体２０に含浸され、薬剤含浸体２０に薬剤が含浸された未使用状態の薬剤カートリッジとすることができる。
【００１８】
請求項４に係る発明によれば、外周保持部３２に環状の凹部３６を形成したので薬剤含浸体２０の外周縁の全周から均一に薬剤が含浸し、全域に亘って薬剤を均一に含浸させることができる。
【００１９】
請求項５に係る発明によれば、容器本体３０の空気流通部３４と蓋体４０の空気流通部４４に亘って空気がスムーズに流通するので、薬剤含浸体２０に含浸した薬剤を効率良く、スムーズに大気に放散することが可能である。
【発明を実施するための最良の形態】
【００２０】
本発明の薬剤カートリッジを用いて薬剤を大気に放散させるファン式薬剤放散装置の一例を図１に基づいて説明するが、このファン式薬剤放散装置に限ることはないことは勿論である。
図１に示すように、装置本体１に送風機２が設けてあると共に、本発明に係る薬剤カートリッジ３が着脱自在に取付けてあり、その送風機２のファン４をモータ５で回転すると薬剤カートリッジ３に空気が流通するように構成してある。
前記装置本体１は本体１０とカバー部１１を備え、送風機取付部１２と電池取付部１３を形成していると共に、空気吸込部１４と空気吐出部１５を有している。
前記送風機２はハウジング６にファン４とモータ５を設けたもので、そのハウジング６が送風機取付部１２に設けてあり、ハウジング６の吸込口６ａが空気吸込部１４に連通し、図示しない吐出口が空気吐出部１５にそれぞれ連通している。
前記電池取付部１３に電池７が取付けてある。
前記カバー部１１は開閉自在に本体部１０に連結され、このカバー部１１を開放することで薬剤カートリッジ３、電池７を取付け、取り外しできるようにしてある。
【００２１】
前記薬剤カートリッジ３は、シート状で通気性と吸液性を有すると共に、薬剤を含浸した薬剤含浸体２０と、この薬剤含浸体２０を保持する保持容器２１を備えている。
つまり、薬剤含浸体２０はシート状で吸液性を有するから剛性が弱く、それ自体では形状を維持することができなかったり、薬剤含浸体２０を直接手で持つと薬剤が手に付着する恐れがあるために、薬剤含浸体２０の一部分を保持容器２１で保持し、他の部分に空気が流通するようにしている。
【００２２】
このようであるから、薬剤含浸体２０は薄く、保持容器２１自身も薄くできるから、薬剤カートリッジ３全体を薄くできる。
よって、この薬剤カートリッジ３を用いるファン式薬剤放散装置を薄くすることができる。
【００２３】
前記保持容器２１は、薬剤含浸体２０の上下面を挟持して保持する保持部２１ａと、空気が流通する空気流通部２１ｂを備えている。
前記保持部２１ａと薬剤保持体２０との間には空間部２１ｃが形成してあり、この空間部２１ｃは保持部２１ａに形成した通気部２１ｄで外部に開口し、空間部２１ｃに空気が流通するようにしてある。
好ましくは、保持部２１ａの薬剤含浸体２０の下面と接する部分に凹部を形成し、この凹部と薬剤含浸体２０の下面との間に空間部２１ｃを形成している。そして、保持部２１ａの薬剤含浸体２０の上面に接する部分に通気孔を形成して通気部２１ｄとし、その通気孔で空間部２１ｃ（凹部）を外部に開口している。
【００２４】
このようであるから、シート状の薬剤含浸体２０を保持容器２１で保持して薬剤含浸体２０の形状を維持すると共に、手で持っても薬剤が手に付着することがない。
また、薬剤含浸体２０の保持部２１ａで保持された部分には空気が流通しないので、その部分に含浸した薬剤は流通する空気で揮散することがないが、その部分に含浸した薬剤は空間部２１ｃに揮散し、その空間部２１ｃから空気流通部２１ｂを通って外部に揮散するから、薬剤含浸体２０の保持部２１ａで保持された部分に含浸した薬剤を大気に放散できる。
【００２５】
前記保持容器２１の具体形状の一例を説明するが、これに限ることはない。
前記保持容器２１は図１〜図７に示すように、容器本体３０と蓋体４０を備え、その容器本体３０と蓋体４０で薬剤含浸体２０を挟持して保持する。
この容器本体３０は、中央保持部３１と、この中央保持部３１の周囲に間隔を置いて位置する外周保持部３２と、この外周保持部３２と中央保持部３１を連結する複数の中間保持部３３を有し、その隣接した中間保持部３３間が開口して空気流通部３４としてある。
前記中央保持部３１の薬剤含浸体２０の下面に接する上面３１ａには凹部３５が形成され、薬剤含浸体２０の下面との間に空間部２１ｃを形成する。
前記外周保持部３２の薬剤含浸体２０の下面に接する上面３２ａには環状の凹部３６が形成され、薬剤含浸体２０の下面との間に空間部２１ｃを形成する。
前記中間保持部３３の薬剤含浸体２０の下面に接する上面３３ａには前記凹部３５と環状の凹部３６を連通する連通用の凹部３７が形成され、薬剤含浸体２０の下面との間に空間部２１ｃを形成する。
【００２６】
前記蓋体４０は中央押え部４１と、この中央押え部４１の周囲に間隔を置いて位置する外周押え部４２と、この外周押え部４２と中央押え部４１を連結する複数の中間押え部４３を有し、その隣接した中間押え部４３間が開口して空気流通部４４としてある。
前記中央押え部４１は前述の中央保持部３１と同じ大きさで、通気孔４５が凹部３５と対向して有する。
前記外周押え部４２は前述の外周保持部３２と同じ大きさで、通気孔４６が環状の凹部３６と対向して有する。
前記中間押え部４３は前述の中間保持部３３と同一形状、大きさで、空気流通部４４が前述の空気流通部３４と対向し、両方の空気流通部３４，４４に亘って空気がスムーズに流通するようにしてある。この中間押え部４３に通気孔４７が前述の凹部３７と対向して有する。
【００２７】
前記容器本体３０と蓋体４０は着脱自在に取付けられる。
この実施の形態では、前述の外周保持部３２の外周縁には上面３２ａよりも上方に突出したリング体３２ｂを備え、そのリング体３２ｂに薬剤含浸体２０を嵌め込み、その後に蓋体４０を嵌合して取付ける。
これに限ることはなく、蓋体４０にリング体を設け、そのリング体を外周保持部３２の外周面に嵌合して取付けしても良いし、容器本体３０と蓋体４０にピンと穴を対向して設け、そのピンと穴を嵌合して取付けても良い。
【００２８】
また、この実施の形態では中間保持部３３、中間押え部４３は放射状に複数設けてあるが、これに限ることはなく格子形状、多孔板形状などでも良い。
【００２９】
前述のようであるから、薬剤含浸体２０の中央部は中央保持部３１と中央押え部４１で挟持して支持され、外周部が外周保持部３２と外周押え部４２で挟持して支持され、中間部の複数個所が中間保持部３３と中間押え部４３でそれぞれ挟持されて支持される。
そして、各空気流通部３４，４４を流通する空気が薬剤含浸体２０を通過する。
【００３０】
また、各凹部３５，３６，３７と薬剤含浸体２０の下面との間に形成された空間部２１ｃに空気が流通する。
【００３１】
このようであるから、薬剤カートリッジ３を装置本体１に取付け、この実施の形態ではハウジング６の上面に取付けられる。
そして、ファン４を回転することで薬剤含浸体２０に空気が流通して薬剤が大気に放散される。
【００３２】
また、薬剤含浸体２０における各保持部と各押え部で挟持して保持された部分（つまり、保持部分）に含浸された薬剤は、前述の空間部２１ｃに揮散し、通気孔から空間部２１ｃを流通する空気とともに外部に放散し、前述のファン４の回転による空気とともに大気に放散される。
【００３３】
また、前述のように各保持部３１，３２，３３の上面に凹部３５，３６，３７を形成して空間部２１ｃを形成し、各押え部４１，４２，４３に通気孔４５，４６，４７を形成して空間部２１ｃを外部に開口することによって、その凹部３５，３６，３７を利用して使用後の薬剤含浸体２０に再度薬剤を含浸させることが可能である。
例えば、使用後（つまり、薬剤含浸体２０に含浸した薬剤が全て大気に放散された状態）には、薬剤カートリッジ３を装置本体１から取り出し、液状の薬剤を通気孔４５，４６，４７から注入して各凹部３５，３６，３７に供給して溜める。
そして、各凹部３５，３６，３７に溜まった液状の薬剤は薬剤含浸体２０の全体に亘って含浸され、薬剤を含浸している未使用の薬剤カートリッジとすることができる。
また、凹部３５に溜まった液状の薬剤は薬剤含浸体２０の中央部に含浸し、環状の凹部３６に溜まった液状の薬剤は薬剤含浸体２０の外周部に含浸し、連通用の凹部３７に溜まった液状の薬剤は薬剤含浸体２０の中間部に含浸するから、短時間に薬剤含浸体２０の全域に薬剤が含浸する。
【００３４】
前述のように、液状の薬剤を補給する方法としては、量表示されたスポイト式容器、適量収容されたアンプル容器、定量型容器、定量カップ付き容器などの定量容器、ノズル容器などで補給量を目視で確認しながら供給、などが挙げられる。
また、補給に際し、補給時期が目視で確認できれば便利であるので、従来から知られているインジケータを用いた薬剤含浸体２０に含浸した薬剤が全て大気に放散された時期を表示するようにすることが好ましい。
【００３５】
前述の実施の形態では、容器本体３０の各保持部３１，３２，３３の上面３１ａ，３２ａ，３３ａに凹部３５，３６，３７を形成し、蓋体４０の各押え部４１，４２，４３に通気孔４５，４６，４７を形成したが、これに限ることはなく、いずれか１つの相対向した保持部、押え部に凹部、通気孔を形成しても良いし、いずれか２つの相対向した保持部、押え部に凹部、通気孔を形成しても良い。
すなわち、少なくとも１つの相対向した保持部、押え部に凹部、通気孔を形成すれば良い。
【００３６】
例えば、図８と図９に示すように、容器本体３０の外周保持部３２を水平に対して外周寄りが内周寄りよりも低くなるように斜めとしてほぼＶ字状の環状の凹部３６を形成し、薬剤含浸体２０の下面との間に空間部２１ｃを形成する。
押え体４０の外周押え部４２の一部分、例えば中間押え部４３と連続した部分を内周に向けて凹み変形して凹部４８を形成する。
この凹部４８と容器本体３０のリング体３２ｂとで通気部２１ｄとする。
【００３７】
前述の実施の形態では、薬剤含浸体２０の下面側に空間部２１ｃを形成したが、上面側に空間部２１ｃを形成しても良いし、下面側と上面側の両方に空間部２１ｃをそれぞれ形成しても良い。
【００３８】
本発明の薬剤カートリッジ３は、前述したファン式薬剤放散装置に用いるものに限ることはなく、送風機のファンに直接取付けるようにしても良いし、ファンと一体的にしても良い。また扇風機の吸込み側、吐出側に取付けても良いし、エアコンの吹出口に取付けることもできる。
【００３９】
本発明に用いる薬剤含浸体２０に含浸する薬剤としては、常温、送風などの条件で揮散する害虫防除剤（殺虫剤、忌避剤、害虫成長制御剤、殺ダニ剤、防虫性精油など）、芳香剤、芳香消臭剤、消臭剤、防カビ剤、除菌剤、害獣忌避剤などが挙げられる。
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられている。
さらに、微量で効力を発揮する高活性のメトフルトリン、トランスフルトリン、エムペントリン、テラレスリンが薬剤含浸体を薄く、また小さくできることからより好ましい。
【００４０】
本発明に用いる薬剤含浸体の素材としては、天然繊維、化学繊維、不織布（天然繊維、化学繊維、炭素繊維など）、樹脂ネット（ポリエチレン、ポリプロピレン、ポリ塩化ビニルなど）、布綿（織物、編み物）、抄紙（パルプ、リンター、合成紙など）などが例示され、シート形状、網形状、ハニカム形状、すのこ形状、格子形状などをなす成形体、又はその形状を確保する収容形状、綿状形状、スポンジ状形状などが挙げられる。
また、これらの中で、気流の通気性や薬剤の含有性に優れた不織布などからなるシート形状が好ましい。
【図面の簡単な説明】
【００４１】
【図１】ファン式薬剤放散装置の断面図である。
【図２】薬剤カートリッジの平面図である。
【図３】図２のＡ−Ａ断面図である。
【図４】容器本体の平面図である。
【図５】図４のＢ−Ｂ断面図である。
【図６】蓋体の平面図である。
【図７】薬剤カートリッジの分解斜視図である。
【図８】薬剤カートリッジの第２の実施の形態を示す平面図である。
【図９】薬剤カートリッジの第２の実施の形態を示す断面図である。
【符号の説明】
【００４２】
１…装置本体、３…薬剤カートリッジ、２０…薬剤含浸体、２１…保持容器、３０…容器本体、３１…中央保持部、３２…外周保持部、３３…中間保持部、３４…空気流通部、３５…凹部、３６…環状の凹部、３７…凹部、４０…蓋体、４１…中央押え部、４２…外周押え部、４３…連結部、４４…空気流通部、４５…通気孔、４６…通気孔、４７…通気孔。
【図１】
0004627628.tif 000002
【図２】
0004627628.tif 000003
【図３】
0004627628.tif 000004
【図４】
0004627628.tif 000005
【図５】
0004627628.tif 000006
【図６】
0004627628.tif 000007
【図７】
0004627628.tif 000008
【図８】
0004627628.tif 000009
【図９】
0004627628.tif 000010